(57)【特許請求の範囲】
【請求項１】
複数の住居棟で構成される集合住宅に用いられるインターホンシステムであって、
前記住居棟の各々には、
各居室に設置される居室親機と、
訪問先の前記居室親機を呼び出す呼出操作が可能な呼出部と、各居室の部屋番号と各居室の居室親機を特定する居室親機特定情報とが対応づけられた呼出テーブルが記憶された記憶部と、前記呼出テーブルに基づいて前記呼出部に入力された信号を呼び出し先の前記居室親機の前記居室親機特定情報に変換処理する処理部と、前記居室親機特定情報を自棟内の各前記居室親機に向けて送信する送信部と、を有するとともに、訪問先の前記居室親機を呼び出すための呼出制御を行うように構成された集合玄関機と、
インターホン回線を介して自棟内の前記各居室の居室親機と前記集合玄関機とを通信可能に接続する棟制御部と、
が備えられ、
前記複数の住居棟は、汎用プロトコルに従って通信が行われるネットワークを介して互いに接続されている、
インターホンシステム。
【請求項２】
前記複数の住居棟の各々の前記棟制御部は、
自棟内の前記インターホン回線を通信可能な信号を、前記汎用プロトコルに従って前記ネットワークで通信可能な信号に変換処理する第一変換部と、
前記汎用プロトコルに従って前記ネットワークで通信可能な信号を、自棟内の前記インターホン回線で通信可能な信号に変換処理する第二変換部と、
を有する、棟制御機を備える、
請求項１に記載のインターホンシステム。
【請求項３】
汎用プロトコルに従って通信が行われる前記ネットワークには、さらに集中棟が接続されており、
前記集中棟には、
前記複数の住居棟の各居室を呼び出すことが可能な集中端末機器と、
インターホン回線を介して前記集中端末機器と通信可能に接続する集中制御部と、
が備えられている、
請求項２に記載のインターホンシステム。
【請求項４】
前記集中制御部は、
集中棟内の前記インターホン回線を通信可能な信号を、前記汎用プロトコルに従って前記ネットワークで通信可能な信号に変換処理する第三変換部と、
前記汎用プロトコルに従って前記ネットワークで通信可能な信号を、集中棟内の前記インターホン回線で通信可能な信号に変換処理する第四変換部と、
を有する、集中制御機を備え、
前記複数の住居棟の各々の前記棟制御機は、
自棟内の前記呼出テーブルが記憶された棟記憶部と、
自棟内の前記呼出テーブルに基づいて、前記集中端末機器に入力された信号を呼び出し先の居室親機の居室親機特定情報に変換処理する棟処理部と、前記居室親機特定情報を自棟内の各前記居室親機に向けて送信する棟送信部と、
を備える、
請求項３に記載のインターホンシステム。
【発明の詳細な説明】
【技術分野】
【０００１】
本発明は、集合住宅に用いられるインターホンシステムに関するものである。
【背景技術】
【０００２】
従来、複数の住居棟で構成される集合住宅向けのインターホンシステムがある。このインターホンシステムの構成では、各住居棟は、インターホン回線（インターホン専用線）を介して制御機と接続されている。
【先行技術文献】
【特許文献】
【０００３】
【特許文献１】日本国特開２００４−２６０６７９号公報
【発明の概要】
【発明が解決しようとする課題】
【０００４】
特許文献１のインターホンシステムでは、各住居棟と接続される制御機が、各住居棟からの呼出信号等を集中して管理する構成となっている。このため、住居棟の数が増えると、その増加数に連動させて、制御機の処理能力を高めなければならず、コストが増えてしまう。【０００５】
そこで、本発明は、住居の数に連動してコストが増加することを抑制することが可能なインターホンシステムを提供することを目的とする。
【課題を解決するための手段】
【０００６】
上記目的を達成するために、本発明のインターホンシステムは、
複数の住居棟で構成される集合住宅に用いられるインターホンシステムであって、
前記住居棟の各々には、
各居室に設置される居室親機と、
訪問先の前記居室親機を呼び出す呼出操作が可能な呼出部と、各居室の部屋番号と各居室の居室親機を特定する居室親機特定情報とが対応づけられた呼出テーブルが記憶された記憶部と、前記呼出テーブルに基づいて前記呼出部に入力された信号を呼び出し先の前記居室親機の前記居室親機特定情報に変換処理する処理部と、前記居室親機特定情報を自棟内の各前記居室親機に向けて送信する送信部と、を有する端末機器と、
インターホン回線を介して自棟内の前記各居室の居室親機と前記端末機器とを通信可能に接続する棟制御部と、
が備えられ、
前記複数の住居棟は、汎用プロトコルに従って通信が行われるネットワークを介して互いに接続されている。【０００７】
この構成によれば、各住居棟の自棟内において、端末機器（集合玄関機や管理室親機など）から各居室親機を呼び出すための信号処理が完結しているため、各住居棟からの呼出信号を集中して管理する制御機を設ける必要がない。このため、住戸数に応じた処理能力を有する制御機を準備する必要が無く、コストの増加を抑制することができる。また、集合住宅の全体計画の途中で住居棟の数を例えば追加する変更があった場合であっても、システム構成上は、汎用プロトコルに従って通信が行われるネットワークに新たな住居棟を追加して接続すればよく、高い性能を有する制御機を再設計する必要はないため、計画の変更に伴うコストの増加を抑制することができる。【０００８】
また、本発明のインターホンシステムにおいて、
前記複数の住居棟の各々の前記棟制御部は、
自棟内の前記インターホン回線を通信可能な信号を、前記汎用プロトコルに従って前記ネットワークで通信可能な信号に変換処理する第一変換部と、
前記汎用プロトコルに従って前記ネットワークで通信可能な信号を、自棟内の前記インターホン回線で通信可能な信号に変換処理する第二変換部と、
を有する、棟制御機を備えても良い。【０００９】
この構成によれば、各住居棟のインターホン回線で異なる信号方式が使用されていたとしても、汎用プロトコルに従って通信が行われるネットワークを介して一つのシステムとして構成することができる。【００１０】
また、本発明のインターホンシステムにおいて、
汎用プロトコルに従って通信が行われる前記ネットワークには、さらに集中棟が接続されており、
前記集中棟には、
前記複数の住居棟の各居室を呼び出すことが可能な集中端末機器と、
インターホン回線を介して前記集中端末機器と通信可能に接続する集中制御部と、
が備えられていても良い。【００１１】
この構成によれば、汎用プロトコルに従って通信が行われるネットワークを介して、集中棟から各住居棟の各住居を呼び出すことができる。【００１２】
また、本発明のインターホンシステムにおいて、
前記集中制御部は、
集中棟内の前記インターホン回線を通信可能な信号を、前記汎用プロトコルに従って前記ネットワークで通信可能な信号に変換処理する第三変換部と、
前記汎用プロトコルに従って前記ネットワークで通信可能な信号を、集中棟内の前記インターホン回線で通信可能な信号に変換処理する第四変換部と、
を有する、集中制御機を備え、
前記複数の住居棟の各々の前記棟制御機は、
自棟内の前記呼出テーブルが記憶された棟記憶部と、
自棟内の前記呼出テーブルに基づいて、前記集中端末機器に入力された信号を呼び出し先の居室親機の居室親機特定情報に変換処理する棟処理部と、前記居室親機特定情報を自棟内の各前記居室親機に向けて送信する棟送信部と、
を備えていても良い。【００１３】
この構成によれば、各住居棟のマスターの呼出テーブルが各住居棟の棟制御機に分散してそれぞれ記憶されている。このため、システム内に、全ての住居棟の全ての居室に関する呼出テーブルを有する集中型の制御機を設置することなく、集中棟から全ての住居棟の全ての居室を呼び出すことが可能な構成を実現することができる。
【発明の効果】
【００１４】
本発明のインターホンシステムによれば、住居の数に連動してコストが増加することを抑制することができる。
【図面の簡単な説明】
【００１５】
【図１】本発明の実施形態に係るインターホンシステムの構成図である。
【図２】集合玄関機の機能ブロック図である。
【図３】棟制御部の機能ブロック図である。
【図４】棟制御機の機能ブロック図である。
【図５】集中制御部の機能ブロック図である。
【図６】住居Ａ棟〜住居Ｅ棟の端末機器に記憶されている呼出テーブルＡ１〜呼出テーブルＥ１の一例を示す図である。
【図７】住居Ａ棟〜住居Ｅ棟の棟制御部に記憶されている呼出テーブルＡ２〜呼出テーブルＥ２の一例を示す図である。
【発明を実施するための形態】
【００１６】
以下、本実施形態の一例について、図面を参照して説明する。
図１に示すように、インターホンシステム１は、複数の住居棟（本例では住居Ａ棟〜住居Ｅ棟）で構成されるマンション等の集合住宅に用いられるシステムである。インターホンシステム１は、住居Ａ棟〜住居Ｅ棟の各々の棟に、集合玄関機１０Ａ〜１０Ｃ（端末機器の一例）と、管理室親機２０（端末機器の一例）と、居室親機３０と、棟制御部４０とを備えている。本例の図１では、住居Ａ棟のみに上記各構成を示している。各住居棟は、汎用プロトコルに従って通信が行われるネットワークＮ（本例では、ＬＡＮ：Local Area Network）を介して互いに接続されている。また、インターホンシステム１には管理センター５（集中棟の一例）が設けられており、ネットワークＮを介して各居住棟と接続されている。
【００１７】
集合玄関機１０Ａ〜１０Ｃ（以下、総称する場合は集合玄関機１０と称する）は、集合住宅の集合玄関や共用スペース等に設置されている。集合玄関機１０は、例えば自棟内の居室親機３０や自棟内の管理室親機２０を呼び出すことができるように構成されている。また、集合玄関機１０は、例えば訪問者の映像を撮像することができるように構成されている。集合玄関機としては、例えば集合玄関機１０Ａに示されるように、部屋番号をテンキーで入力する方式のもの、集合玄関機１０Ｂに示されるように、名称と対応づけられている専用ボタンを押下する方式のもの、集合玄関機１０Ｃに示されるように、テンキーと専用ボタンの両方式を可能とするもの等がある。集合玄関機１０は、インターホン回線（専用線）Ｌ１を介して棟制御部４０と通信可能に接続されている。
【００１８】
管理室親機２０は、集合住宅の管理室に設置されている。管理室親機２０は、例えば自棟内の居室親機３０を呼び出すことができるように構成されている。また、管理室親機２０は、操作部２０１、通話部２０２、表示部２０３などを備えており、集合玄関機１０に居る訪問者や、居室親機３０に居る居住者と通話可能に構成されている。管理室親機２０は、インターホン回線Ｌ２を介して棟制御部４０と通信可能に接続されている。
【００１９】
居室親機３０は、集合住宅の各住戸内に設置されている。居室親機３０は、表示部３０１、操作部３０２、通話部３０３などを備えており、例えば集合玄関機１０や管理室親機２０からの呼び出しに対して応答できるように構成されている。各居室親機３０には、その居室機を特定する情報（例えば居室親機ＩＤ：identification）が記憶されている。居室親機３０は、インターホン回線Ｌ３を介して棟制御部４０と通信可能に接続されている。
【００２０】
棟制御部４０は、インターホン回線を介して接続されている集合玄関機１０、管理室親機２０、及び居室親機３０との間の通信等を制御している。また、棟制御部４０は、ネットワークＮを介して、他の住居棟（本例では住居Ｂ棟〜住居Ｅ棟）の棟制御部４０、及び管理センター５の集中制御部７０（後述する）と通信可能に接続されている。
【００２１】
管理センター５は、住居Ａ棟〜住居Ｅ棟までの集合住宅全体を管理することができるように構成されており、集中集合玄関機５０（集中端末機器の一例）と、集中管理室親機６０（集中端末機器の一例）と、集中制御部７０とを備えている。
【００２２】
集中集合玄関機５０は、管理センター５の玄関に設置されている。集中集合玄関機５０は、呼出部５０１、表示部５０２、カメラ５０３、通話部５０４等を有している。集中集合玄関機５０は、例えば各棟の特定の居室親機３０や管理センター５の集中管理室親機６０を呼び出すことができるように構成されている。また、集中集合玄関機５０は、例えば訪問者の映像を撮像することができるように構成されている。集中集合玄関機５０は、インターホン回線Ｌ４を介して集中制御部７０と通信可能に接続されている。
【００２３】
集中管理室親機６０は、管理センター５の管理室に設置されている。集中管理室親機６０は、操作部６０１、通話部６０２、表示部６０３等を有している。集中管理室親機６０は、例えば各棟の居室親機３０を呼び出すことができるように構成されている。また、集中管理室親機６０は、集中集合玄関機５０に居る訪問者や、居室親機３０に居る居住者と通話可能に構成されている。集中管理室親機６０は、インターホン回線Ｌ５を介して集中制御部７０と通信可能に接続されている。
【００２４】
集中制御部７０は、例えばインターホン回線を介して接続されている集中集合玄関機５０、及び集中管理室親機６０との間の通信の送受を制御している。また、集中制御部７０は、ネットワークＮを介して、住居Ａ棟〜住居Ｅ棟の各棟制御部４０と通信可能に接続されている。
【００２５】
図２に示すように、集合玄関機１０は、呼出部１０１と、記憶部１０２と、カメラ１０３と、集合玄関表示部１０４と、通話部１０５と、集合玄関機ＣＰＵ１０６（処理部の一例）と、集合玄関機インターフェース（以下、インターフェースをＩ／Ｆと称する）１０７（送信部の一例）とを備えている。
【００２６】
呼出部１０１は、訪問者等が訪問先の居室親機３０や管理室の管理室親機２０を呼び出す際に操作される。呼出部１０１は、呼出先を入力するための入力ボタン（テンキーや専用ボタン等）１１１や、入力ボタンを操作した後に操作される呼出ボタン１１２等を有する。
【００２７】
記憶部１０２には、自棟内の各居室の部屋番号と各居室の居室親機３０を特定する居室親機ＩＤ（居室親機特定情報の一例）とが対応づけられた呼出テーブル、または、自棟内の各居室の部屋番号と各居室の居住者の氏名や各居室の名称（例えばテナント名等）と居室親機ＩＤとが対応づけられた呼出テーブル等が記憶されている。
【００２８】
カメラ１０３は、集合玄関機１０を操作する訪問者等を撮像する。集合玄関表示部１０４は、呼出部１０１から入力される部屋番号や、訪問者に対するメッセージや、カメラ１０３が撮像している訪問者の映像等が表示される。通話部１０５は、居住者や管理人と通話するためのマイク及びスピーカで構成されている。
【００２９】
集合玄関機ＣＰＵ１０６は、集合玄関機１０を構成する各部の動作を制御するための処理を行う。例えば、集合玄関機ＣＰＵ１０６は、部屋番号や名称が入力されると、呼出テーブルに基づいて、入力された信号を呼出先の居室親機３０の居室親機ＩＤに変換する。また、例えば、集合玄関機ＣＰＵ１０６は、集合玄関機１０を動作させるドライバー（ソフトウェア）を実行する。また、例えば、集合玄関機ＣＰＵ１０６は、集合玄関表示部１０４の表示内容にバグが発生したりフリーズが発生した場合に集合玄関機１０の再起動を実行する。
【００３０】
集合玄関機Ｉ／Ｆ１０７は、集合玄関機ＣＰＵ１０６とインターホン回線Ｌ１間における双方向の信号伝送路を形成する。
【００３１】
なお、図示は省略するが、管理室親機２０も集合玄関機１０と同様に、呼出テーブルが記憶された記憶部を有しており、操作部２０１に部屋番号等の信号が入力されると、呼出テーブルに基づいて変換された居室親機ＩＤを自棟内の各居室親機に向けて送信するように構成されている。また、各居室親機３０を呼び出す機能を有する端末機器は、集合玄関や管理室の他に例えば共用部として使用されるパーティールームや正面玄関以外のサブ玄関等に配置されても良い。
【００３２】
図３に示すように、棟制御部４０は、棟制御機４１０と、映像制御機４２０と、オーディオ制御機４３０と、棟制御部Ｉ／Ｆ４４０（棟送信部の一例）とを備えている。また、図４に示すように、棟制御機４１０は、棟記憶部４１１と、棟制御機ＣＰＵ４１２（棟処理部の一例）と、信号変換部４１３とを備えている。
【００３３】
棟制御機４１０の棟記憶部４１１には、自棟内の各居室の部屋番号と各居室の居室親機３０を特定する居室親機ＩＤとが対応づけられた呼出テーブル、または、自棟内の各居室の部屋番号と各居室の居住者の氏名や各居室の名称（例えばテナント名等）と居室親機ＩＤとが対応づけられた呼出テーブル等が記憶されている。
【００３４】
棟制御機ＣＰＵ４１２は、棟制御機４１０を構成する各部の動作を制御するための処理を行う。例えば、棟制御機ＣＰＵ４１２は、部屋番号や名称を呼び出す信号が管理センター５から送信されてくると、呼出テーブルに基づいて、入力された信号を呼出先の居室親機３０の居室親機ＩＤに変換する。
【００３５】
信号変換部４１３は、インターホン回線Ｌ１〜Ｌ３で使用される信号とネットワークＮで使用される信号とを相互に変換処理するための回路である。信号変換部４１３は、アナログデジタル変換部４１３Ａ（第一変換部の一例）と、デジタルアナログ変換部４１３Ｂ（第二変換部の一例）とを有する。
【００３６】
アナログデジタル変換部４１３Ａ（以下、アナログデジタルをＡ／Ｄと称する）は、各々の住宅棟内におけるインターホン回線Ｌ１〜Ｌ３で通信可能なアナログ信号を、各住居棟間及び住居棟と管理センター間におけるネットワークＮで通信可能なデジタル信号に変換する。一方、デジタルアナログ変換部４１３Ｂ（以下、デジタルアナログをＤ／Ａと称する）は、各住居棟間及び住居棟と管理センター間におけるネットワークＮで通信可能なデジタル信号を、各々の住宅棟内におけるインターホン回線で通信可能なアナログ信号に変換する。
【００３７】
映像制御機４２０は、集合玄関機１０のカメラ１０３で撮像された映像信号や、管理センター５から送信されてきた映像信号を信号処理するとともに、処理した映像信号を自棟内の各居室親機３０、あるいは管理室親機２０に向けて送信する。オーディオ制御機４３０は、集合玄関機１０の通話部１０５からの音声信号や、管理室親機２０の通話部２０２からの音声信号や、管理センター５から送信されてきた音声信号を音声処理するとともに、処理した音声信号を自棟内の各居室親機３０、あるいは管理室親機２０に向けて送信する。
【００３８】
棟制御部Ｉ／Ｆ４４０は、棟制御機４１０、映像制御機４２０、及びオーディオ制御機４３０とインターホン回線Ｌ１〜Ｌ３間における双方向の信号伝送路を形成する。
【００３９】
図５に示すように、集中制御部７０は、集中制御機７１０と、映像制御機７２０と、オーディオ制御機７３０と、集中制御部Ｉ／Ｆ７４０とを備えている。また、集中制御機７１０は、Ａ／Ｄ変換部７１１（第三変換部の一例）と、Ｄ／Ａ変換部７１２（第四変換部の一例）とを備えている。
【００４０】
集中制御機７１０のＡ／Ｄ変換部７１１は、管理センター５内におけるインターホン回線Ｌ４，Ｌ５で通信可能なアナログ信号を、管理センター５と各住居棟間におけるネットワークＮで通信可能なデジタル信号に変換する。一方、Ｄ／Ａ変換部７１２は、管理センター５と各住居棟間におけるネットワークＮで通信可能なデジタル信号を、管理センター５内におけるインターホン回線Ｌ４，Ｌ５で通信可能なアナログ信号に変換する。
【００４１】
映像制御機７２０は、集中集合玄関機５０のカメラ５０３で撮像された映像信号を信号処理するとともに、処理した映像信号を各住居棟の棟制御機４１０に向けて送信する。オーディオ制御機７３０は、集中集合玄関機５０の通話部５０４からの音声信号や、集中管理室親機６０の通話部６０２からの音声信号を音声処理するとともに、処理した音声信号を各住居棟の棟制御機４１０に向けて送信する。
【００４２】
集中制御部Ｉ／Ｆ７４０は、集中制御機７１０、映像制御機７２０、及びオーディオ制御機７３０とインターホン回線Ｌ４，Ｌ５間における双方向の信号伝送路を形成する。
【００４３】
次に、インターホンシステム１の動作について図６，図７を参照して説明する。
＜動作例１＞
訪問者が、住居棟（本例では住居Ａ棟）から集合玄関機１０を操作してその住居棟（本例では住居Ａ棟）内の居住者（本例では１０１号室の居住者）を呼び出す場合、インターホンシステム１は以下のように動作する。
【００４４】
住居Ａ棟に設置されている集合玄関機１０の例えばテンキーを用いて部屋番号の「１０１（呼出信号）」が入力され、呼出ボタン１１２が押下される。
【００４５】
住居Ａ棟の集合玄関機ＣＰＵ１０６は、記憶部１０２に記憶されている呼出テーブルＡ１（図６参照）に基づいて、入力された呼出信号「１０１」を呼出先の居室親機３０を特定する居室親機ＩＤである例えば「Ｓ１」という呼出信号に変換する。
【００４６】
集合玄関機ＣＰＵ１０６は、集合玄関機Ｉ／Ｆ１０７から棟制御部４０を経由してインターホン回線で住居Ａ棟内の全ての居室親機３０に向けて呼出信号「Ｓ１」を送信する。なお、この場合、カメラ１０３で撮像された訪問者の映像が呼出信号「Ｓ１」に添付されて送信される。
【００４７】
呼出信号「Ｓ１」を受信した各居室親機３０は、「Ｓ１」が自機に記憶されている居室親機ＩＤと一致するか否か判別する。一致していると判別した１０１号室の居室親機３０では、通話部３０３のスピーカから呼出音が出力されるとともに、訪問者の映像が表示部３０１に表示される。１０１号室の居住者によって居室親機３０の通話ボタンが押下されると、１０１号室の居室親機３０から集合玄関機１０へ応答を了承する通話信号が返信されて、集合玄関機１０との間で信号通信が可能となり、例えば通話可能となる。
【００４８】
なお、管理室親機２０から１０１号室が呼び出された場合も上記集合玄関機１０から呼び出された場合と同様に動作する。
【００４９】
＜動作例２＞
訪問者が、管理センター５から集中集合玄関機５０を操作して任意の住居棟（本例では住居Ａ棟）の居住者（本例では１０１号室の居住者）を呼び出す場合、インターホンシステム１は以下のように動作する。
【００５０】
管理センター５の玄関に設置されている集中集合玄関機５０の例えばテンキーを用いて部屋番号に住居棟名を加えた「Ａ１０１（呼出信号）」が入力され、呼出ボタンが押下される。入力された呼出信号「Ａ１０１」は、インターホン回線Ｌ４を介して集中制御部７０へ送信される。
【００５１】
集中制御部７０の集中制御機７１０は、Ａ／Ｄ変換部７１１により、インターホン回線で通信可能なアナログ信号である呼出信号「Ａ１０１」を、ネットワークＮで通信可能なデジタル信号の呼出信号「Ａ１０１」に変換する。集中制御部７０は、変換された呼出信号「Ａ１０１」をネットワークＮを経由して全ての住居棟（住居Ａ棟〜住居Ｅ棟）に向けて送信する。
【００５２】
各住居棟の棟制御部４０は、棟制御機４１０のＤ／Ａ変換部４１３Ｂにより、管理センター５から送信されてきた呼出信号「Ａ１０１」をインターホン回線で通信可能なアナログ信号に変換する。棟制御機４１０の棟制御機ＣＰＵ４１２は、その呼出信号「Ａ１０１」が自棟に向けて送信されてきた呼出信号であるか否かを判別する。この場合、住居Ａ棟の棟制御機ＣＰＵ４１２が自棟への呼出信号であると判断する。住居Ａ棟の棟制御機ＣＰＵ４１２は、判断した旨を表す返信信号をネットワークＮを経由して管理センター５へ送信する。この返信信号は、Ａ／Ｄ変換部４１３Ｂでデジタル信号に変換されて送信される。
【００５３】
返信信号を受信した管理センター５の集中制御部７０は、再度、住居Ａ棟に向けてネットワークＮを経由して呼出信号「Ａ１０１」を送信する。
【００５４】
住居Ａ棟の棟制御部４０は、受信した呼出信号「Ａ１０１」を上記と同様にＤ／Ａ変換部４１３Ｂでアナログ信号に変換する。続いて、棟制御機４１０の棟制御機ＣＰＵ４１２は、棟記憶部４１１に記憶されている呼出テーブルＡ２（図７参照）に基づいて、入力された呼出信号「Ａ１０１」を呼出先の居室親機３０を特定する居室親機ＩＤである例えば「Ｓ１」という呼出信号に変換する。
【００５５】
棟制御機ＣＰＵ４１２は、棟制御部Ｉ／Ｆ４４０からインターホン回線Ｌ３を介して住居Ａ棟内の全ての居室親機３０に向けて呼出信号「Ｓ１」を送信する。なお、この場合、集中集合玄関機５０のカメラ５０３で撮像された訪問者の映像が呼出信号「Ｓ１」に添付されて送信される。
【００５６】
これ以降の動作は、上記動作例１と同様となる。
【００５７】
なお、集中管理室親機６０から住居Ａ棟の１０１号室が呼び出された場合も上記集中集合玄関機５０から呼び出された場合と同様に動作する。
【００５８】
このようなインターホンシステム１によれば、複数の住居棟（住居Ａ棟〜住居Ｅ棟）が構築されている集合住宅であっても、各住居棟の自棟内において、集合玄関機１０や管理室親機２０などから各居室親機３０を呼び出すための信号処理が完結しているため、各住居棟からの呼出信号の全体を集中して管理する制御機を設ける必要がない。このため、集合住宅内に集合住宅の全住戸数に応じた処理能力を有する制御機を準備する必要が無く、設備コストの増加を抑制することができる。
【００５９】
また、集合住宅の全体計画の途中で例えば住居棟の数を追加するような計画変更が生じた場合であっても、システム構成上は、汎用プロトコルに従って通信が行われるネットワークＮに新たな住居棟を追加して接続すればよい。このため、途中で計画変更があっても高い性能を有する制御機を再設計する必要はなく、計画の変更に伴うコストの増加を抑制することができる。ところで、従来のように１つの制御機で全体を集中管理する構成の場合、その制御機が故障するとシステム全体の動作に影響が生じてしまう。これに対して、本構成では、各住居棟内で信号処理が完結する棟制御部４０がそれぞれネットワークＮに対して接続されているため、いずれかの棟制御部４０が故障した場合にはその棟制御部４０だけを停止させて修理すればよく、システム全体にその影響が及ぶことがない。また、棟内の集合玄関機は、互いに共通の呼出テーブルを有している。このため、いずれかの集合玄関機の呼出テーブルが破損した場合、他の集合玄関機の呼出テーブルを用いて修理することが可能となる。
【００６０】
また、各住居棟の棟制御部４０には、インターホン回線で通信可能なアナログ信号とネットワークで通信可能なデジタル信号とを相互に変換可能なＡ／Ｄ変換部４１３ＡとＤ／Ａ変換部４１３Ｂとが設けられている。このため、例えば各住居棟で異なる信号方式のインターホン回線が使用されていたとしても、汎用プロトコルに従って通信が行われるネットワークＮを介して全ての住居棟を一つのシステムとして構成することができる。
【００６１】
また、集中制御部７０にＡ／Ｄ変換部７１１とＤ／Ａ変換部７１２とを有した管理センター５がネットワークＮに接続されるとともに、各住居棟の棟制御部４０には各住居棟の呼出テーブルＡ２等（図７参照）が分散してそれぞれ記憶されている。このため、システム内に、全ての住居棟の全ての居室に関する呼出テーブルを有する高性能の制御機を設置することなく、ネットワークＮを介して管理センター５から全ての住居棟の全ての居室を呼び出すことが可能な構成を実現することができる。
【００６２】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６３】
１：インターホンシステム、５：管理センター（集中棟の一例）、１０Ａ〜１０Ｃ：集合玄関機（端末機器の一例）、２０：管理室親機（端末機器の一例）、３０：居室親機、４０：棟制御部、５０：集中集合玄関機（集中端末機器の一例）、６０：集中管理室親機（集中端末機器の一例）、７０：集中制御部、１０１：呼出部、１０２：記憶部、１０６：集合玄関機ＣＰＵ（処理部の一例）、１０７：集合玄関機Ｉ／Ｆ（送信部の一例）、４１０：棟制御機、４１１：棟記憶部、４１２：棟制御機ＣＰＵ（棟処理部の一例）、４１３Ａ：Ａ／Ｄ変換部（第一変換部の一例）、４１３Ｂ：Ｄ／Ａ変換部（第二変換部の一例）、４４０：棟制御部Ｉ／Ｆ（棟送信部の一例）、７１０：集中制御機、７１１：Ａ／Ｄ変換部（第三変換部の一例）、７１２：Ｄ／Ａ変換部（第四変換部の一例）
【図１】
0006667611.tif 000002
【図２】
0006667611.tif 000003
【図３】
0006667611.tif 000004
【図４】
0006667611.tif 000005
【図５】
0006667611.tif 000006
【図６】
0006667611.tif 000007
【図７】
0006667611.tif 000008